(57)【要約】【課題】生体情報計測装置の計時手段に確度の高い発振源を用いることなく、当該生体情報計測装置が簡単に正確な時刻を計時することを可能にする。【解決手段】生体情報計測装置２は、生体情報を計測する生体情報計測部２２と、前記生体情報計測部２２によって前記生体情報が計測された計測時刻を検出する計時部２５と、前記生体情報を管理する管理サーバ５とデータを送受信する中継装置３から前記生体情報と前記計測時刻を表す情報とを送信させる指示情報、及び、標準時刻を表す情報、或いは、前記標準時刻を表す情報に基づいて修正された時刻を表す情報を含む制御情報送信データ７１を受信するデータ送受信部２４とを備え、前記制御情報送信データ７１に含まれる標準時刻を表す情報、或いは、前記修正された時刻を表す情報に基づいて前記計時部２５が検出する時刻を修正する。【選択図】図８
2008178626.tif 000002
【特許請求の範囲】
【請求項１】
生体情報を計測する生体情報計測部、及び、前記生体情報計測部によって前記生体情報
が計測された計測時刻を検出する計時部を有する生体情報計測装置と、
前記生体情報計測装置によって計測された生体情報を管理する管理サーバと、
前記生体情報計測装置に対し、前記生体情報と前記計測時刻を表す情報とを送信させる
指示情報を含む送信データを送信し、前記指示情報に応じて前記生体情報計測装置から送
信された前記生体情報及び前記計測時刻を表す情報を受信する第１データ送受信部と、受
信した前記生体情報及び前記計測時刻を表す情報を前記管理サーバに送信する第２データ
送受信部と、標準時刻を表す情報を取得する標準時刻取得部とを備える中継装置と、を有
し、
前記中継装置は、前記標準時刻取得部によって取得された標準時刻を表す情報、或いは
、前記標準時刻取得部によって取得された標準時刻を表す情報によって修正された時刻を
表す情報を前記送信データに含めて前記生体情報計測装置に送信し、
前記生体情報計測装置は、前記送信データに含まれる標準時刻を表す情報、或いは、前
記修正された時刻を表す情報に基づいて前記計時部が検出する時刻を修正する
ことを特徴とする生体情報管理システム。
【請求項２】
請求項１に記載の生体情報管理システムにおいて、
前記中継装置は、前記生体情報及び前記計測時刻を表す情報の送信間隔を表す情報であ
る送信間隔情報を前記送信データに含めて前記生体情報計測装置に送信し、
前記生体情報計測装置は、前記送信データに含まれる標準時刻を表す情報、或いは、前
記修正された時刻を表す情報に基づいて前記計時部が検出する時刻を修正し、修正した時
刻に基づいて前記送信間隔に合わせて前記生体情報及び前記計測時刻を表す情報を送信す
る
ことを特徴とする生体情報管理システム。
【請求項３】
請求項２に記載の生体情報管理システムにおいて、
前記生体情報計測装置は、前記送信間隔から所定の送信期間に、前記生体情報及び前記
計測時刻を表す情報を複数回繰り返し送信する
ことを特徴とする生体情報管理システム。
【請求項４】
請求項３に記載の生体情報管理システムにおいて、
前記中継装置は、前記送信間隔よりも短い間隔で受信動作を開始し、前記送信期間の終
了後に前記受信動作を終了する
ことを特徴とする生体情報管理システム。
【請求項５】
請求項１乃至４のいずれかに記載の生体情報管理システムにおいて、
前記生体情報計測装置は、
前記生体情報を前記生体情報計測部によって間欠的に計測すると共に、
前記生体情報計測部によって計測された前記生体情報及び前記計時部によって検出され
た計測時刻を表す情報を記憶する記憶部を有し、
前記中継装置から前記送信データを受信した場合に、前記記憶部に記憶されている生体
情報及び計測時刻を表す情報を前記中継装置に送信する
ことを特徴とする生体情報管理システム。
【請求項６】
請求項５に記載の生体情報管理システムにおいて、
前記生体情報計測装置は、
前記中継装置とデータの送受信が可能であるか否かを検出する検出部を備え、
前記検出部によって前記中継装置とデータの送受信が不可能と検出された場合に、前記
生体情報計測部によって計測された生体情報及び前記計時部によって検出された計測時刻
を表す情報を前記記憶部に記憶し、
前記中継装置から前記送信データを受信した場合に、前記記憶部に記憶されている生体
情報及び計測時刻を表す情報を前記中継装置に送信する
ことを特徴とする生体情報管理システム。
【請求項７】
生体情報を計測する生体情報計測部、及び、前記生体情報計測部によって前記生体情報
が計測された計測時刻を検出する計時部を有する生体情報計測装置に対し、前記生体情報
と前記計測時刻を表す情報とを送信させる指示情報を含む送信データを送信し、前記指示
情報に応じて前記生体情報計測装置から送信された前記生体情報及び前記計測時刻を表す
情報を受信する第１データ送受信部と、前記第１データ送受信部を介して受信した前記生
体情報及び前記計測時刻を表す情報を前記生体情報計測装置によって計測された生体情報
を管理する管理サーバに送信する第２データ送受信部と、
標準時刻を表す情報を取得する標準時刻取得部と、を有し、
前記標準時刻取得部によって取得された標準時刻を表す情報、或いは、前記標準時刻取
得部によって取得された標準時刻を表す情報によって修正された時刻を表す情報を前記送
信データに含めて送信することを特徴とする中継装置。
【請求項８】
生体情報を計測する生体情報計測部と、
前記生体情報計測部によって前記生体情報が計測された計測時刻を検出する計時部と、
前記生体情報を管理する管理サーバとデータを送受信する中継装置から前記生体情報と
前記計測時刻を表す情報とを送信させる指示情報、及び、標準時刻を表す情報、或いは、
前記標準時刻を表す情報に基づいて修正された時刻を表す情報を含む送信データを受信す
るデータ受信部とを備え、
前記送信データに含まれる標準時刻を表す情報、或いは、前記修正された時刻を表す情
報に基づいて前記計時部が検出する時刻を修正する
ことを特徴とする生体情報計測装置。
【請求項９】
生体情報を計測する生体情報計測部、及び、前記生体情報計測部によって前記生体情報
が計測された計測時刻を検出する計時部を有する生体情報計測装置とデータを送受信する
第１データ送受信部と、
前記生体情報計測装置によって計測された生体情報を管理する管理サーバとデータを送
受信する第２データ送受信部と、
標準時刻を表す情報を取得する標準時刻取得部とを備えた中継装置の制御方法であって
、
前記第１データ送受信部を介して前記生体情報計測装置に対し、前記生体情報と前記計
測時刻を表す情報とを送信させる指示情報を含む送信データを送信する第１ステップと、
前記指示情報に応じて前記生体情報計測装置から送信された前記生体情報及び前記計測
時刻を表す情報を、前記第１データ送受信部を介して受信する第２ステップと、
前記第２ステップにおいて受信された前記生体情報及び前記計測時刻を表す情報を前記
第２データ送受信部を介して前記管理サーバに送信する第３ステップとを有し、
前記第１ステップにおいては、前記標準時刻取得部によって取得された標準時刻を表す
情報、或いは、前記標準時刻取得部によって取得された標準時刻を表す情報によって修正
された時刻を表す情報を前記送信データに含めて送信することを特徴とする中継装置の制
御方法。
【請求項１０】
生体情報を計測する生体情報計測部と、
前記生体情報計測部によって前記生体情報が計測された計測時刻を検出する計時部と、
前記生体情報を管理する管理サーバとデータを送受信する中継装置からデータを受信す
るデータ受信部とを備えた生体情報計測装置の制御方法であって、
前記中継装置から前記生体情報と前記計測時刻を表す情報とを送信させる指示情報、及
び、標準時刻を表す情報、或いは、前記標準時刻を表す情報に基づいて修正された時刻を
表す情報を含む送信データ前記データ受信部を介して受信する第１ステップと、
前記第１ステップにおいて受信した前記送信データに含まれる標準時刻を表す情報、或
いは、前記修正された時刻を表す情報に基づいて前記計時部が検出する時刻を修正する第
２ステップと
を備えることを特徴とする生体情報計測装置の制御方法。
【請求項１１】
生体情報を計測する生体情報計測部、及び、前記生体情報計測部によって前記生体情報
が計測された計測時刻を検出する計時部を有する生体情報計測装置とデータを送受信する
第１データ送受信部と、
前記生体情報計測装置によって計測された生体情報を管理する管理サーバとデータを送
受信する第２データ送受信部と、
標準時刻を表す情報を取得する標準時刻取得部とを備えた中継装置の制御プログラムで
あって、
前記中継装置を、
前記第１データ送受信部を介して前記生体情報計測装置に対し、前記生体情報と前記計
測時刻を表す情報とを送信させる指示情報を含む送信データを送信する手段、
前記指示情報に応じて前記生体情報計測装置から送信された前記生体情報及び前記計測
時刻を表す情報を、前記第１データ送受信部を介して受信する手段、
前記第１データ送受信部を介して受信した前記生体情報及び前記計測時刻を表す情報を
前記第２データ送受信部を介して前記管理サーバに送信する手段、及び、
前記標準時刻取得部によって取得された標準時刻を表す情報、或いは、前記標準時刻取
得部によって取得された標準時刻を表す情報によって修正された時刻を表す情報を前記送
信データに含めて送信する手段
として機能させることを特徴とする中継装置の制御プログラム。
【請求項１２】
生体情報を計測する生体情報計測部と、
前記生体情報計測部によって前記生体情報が計測された計測時刻を検出する計時部と、
前記生体情報を管理する管理サーバとデータを送受信する中継装置からデータを受信す
るデータ受信部とを備えた生体情報計測装置の制御プログラムであって、
前記生体情報計測装置を、
前記中継装置から前記生体情報と前記計測時刻を表す情報とを送信させる指示情報、及
び、標準時刻を表す情報、或いは、前記標準時刻を表す情報に基づいて修正された時刻を
表す情報を含む送信データを前記データ受信部を介して受信する手段、及び、
前記送信データに含まれる標準時刻を表す情報、或いは、前記修正された時刻を表す情
報に基づいて前記計時部が検出する時刻を修正する手段
として機能させることを特徴とする生体情報計測装置の制御プログラム。
【発明の詳細な説明】
【技術分野】
【０００１】
本発明は、生体情報を計測する生体情報計測装置と、この生体情報計測装置が計測した
生体情報を管理する生体情報管理装置との間の通信を利用して生体情報計測装置の時刻修
正を行う技術に関する。
【背景技術】
【０００２】
従来、個人の健康管理に役立てるため、家庭内で個人の人体情報を生体情報計測装置に
より測定し、この生体情報測定装置が生体情報を、通信網を介して医療施設等に設置され
たサーバへ送信し、この生体情報を加工・解説等して、個人に向けて返信するようにした
健康管理支援システム及び健康管理支援サービスが多数開発されている。さらに近年では
、生体情報の計測時刻を検出する計時手段を生体情報測定装置に設け、この生体情報計測
装置が、生体情報を計測時刻と共にサーバへ送信することで、生体情報の時系列的変化を
管理する技術が提案されている（例えば、特許文献１及び特許文献２参照）。
【特許文献１】国際公開第２００４／１１４１８０号パンフレット
【特許文献２】国際公開第２００４／１１４１８１号パンフレット
【発明の開示】
【発明が解決しようとする課題】
【０００３】
しかしながら、一般に、生体情報測定装置が備える計時手段の発振源の確度（精度）は
低いため、生体情報計測装置が生体情報に付与する計測時刻と、実際の時刻との間にズレ
が生じる、という問題がある。また、確度が高い発振源を計時手段に設ける場合には、生
体情報計測装置のコストが大幅に増加してしまう、という問題がある。
本発明は、上述した事情に鑑みてなされたものであり、生体情報計測装置の計時手段に
確度の高い発振源を用いることなく、当該生体情報計測装置が簡単に正確な時刻を計時す
ることのできる生体情報管理システム、中継装置、生体情報計測装置、中継装置の制御方
法、生体情報計測装置の制御方法、中継装置の制御プログラム、及び、生体情報計測装置
の制御プログラムを提供することを目的とする。
【課題を解決するための手段】
【０００４】
〔形態１〕  上記目的を達成するために、形態１の生体情報管理システムは、生体情報を
計測する生体情報計測部、及び、前記生体情報計測部によって前記生体情報が計測された
計測時刻を検出する計時部を有する生体情報計測装置と、前記生体情報計測装置によって
計測された生体情報を管理する管理サーバと、前記生体情報計測装置に対し、前記生体情
報と前記計測時刻を表す情報とを送信させる指示情報を含む送信データを送信し、前記指
示情報に応じて前記生体情報計測装置から送信された前記生体情報及び前記計測時刻を表
す情報を受信する第１データ送受信部と、受信した前記生体情報及び前記計測時刻を表す
情報を前記管理サーバに送信する第２データ送受信部と、標準時刻を表す情報を取得する
標準時刻取得部とを備える中継装置と、を有し、前記中継装置は、前記標準時刻取得部に
よって取得された標準時刻を表す情報、或いは、前記標準時刻取得部によって取得された
標準時刻を表す情報によって修正された時刻を表す情報を前記送信データに含めて前記生
体情報計測装置に送信し、前記生体情報計測装置は、前記送信データに含まれる標準時刻
を表す情報、或いは、前記修正された時刻を表す情報に基づいて前記計時部が検出する時
刻を修正することを特徴とする。
【０００５】
このような構成によれば、生体情報計測装置は、中継装置から送信された送信データに
含まれている標準時刻を表す情報、或いは、当該標準時刻を表す情報によって修正された
時刻に基づいて計時部が検出する時刻を修正可能となる。これにより、生体情報計測装置
の計時部に確度が高く高価な発振源を用いなくとも、生体情報計測装置が正確な計測時刻
を簡単に検出することができる。
【０００６】
〔形態２〕  さらに、形態２の生体情報管理システムは、形態１に記載の生体情報管理シ
ステムにおいて、前記中継装置は、前記生体情報及び前記計測時刻を表す情報の送信間隔
を表す情報である送信間隔情報を前記送信データに含めて前記生体情報計測装置に送信し
、前記生体情報計測装置は、前記送信データに含まれる標準時刻を表す情報、或いは、前
記修正された時刻を表す情報に基づいて前記計時部が検出する時刻を修正し、修正した時
刻に基づいて前記送信間隔に合わせて前記生体情報及び前記計測時刻を表す情報を送信す
ることを特徴とする。
【０００７】
この構成によれば、前記中継装置が、前記生体情報及び前記計測時刻を表す情報の送信
間隔を表す情報である送信間隔情報を前記送信データに含めて前記生体情報計測装置に送
信するため、送信間隔を任意に変更することが可能となる。
これに加え、前記生体情報計測装置は、前記送信間隔情報に含まれている標準時刻を表
す情報、或いは、標準時刻により修正された時刻に基づいて前記計時部が計時する時刻を
修正し、修正後の時刻に基づいて前記送信間隔に合わせて前記生体情報及び前記計測時刻
を表す情報を送信する構成であるため、計時部の発振源の確度が低くとも、送信間隔を正
確に合わせることができる。
【０００８】
〔形態３〕  さらに、形態３の生体情報管理システムは、形態２に記載の生体情報管理シ
ステムにおいて、前記生体情報計測装置は、前記送信間隔から所定の送信期間に、前記生
体情報及び前記計測時刻を表す情報を複数回繰り返し送信することを特徴とする。
この構成によれば、所定の送信期間の間に、前記生体情報及び前記計測時刻を表す情報
が複数回繰り返し送信されるため、中継装置と間の前記生体情報及び前記計測時刻の送受
信を確実なものとすることができる。
【０００９】
〔形態４〕  さらに、形態４の生体情報管理システムは、形態３に記載の生体情報管理シ
ステムにおいて、前記中継装置は、前記送信間隔よりも短い間隔で受信動作を開始し、前
記送信期間の終了後に前記受信動作を終了することを特徴とする。
この構成によれば、少なくとも前記生体情報計測装置が前記生体情報及び前記計測時刻
を表す情報を送信している間、前記中継装置は受信動作を行うこととなるから、中継装置
と間の前記生体情報及び前記計測時刻の送受信をより確実なものとすることができる。
【００１０】
〔形態５〕  さらに、形態５の生体情報管理システムは、形態１乃至４のいずれかに記載
の生体情報管理システムにおいて、前記生体情報計測装置は、前記生体情報を前記生体情
報計測部によって間欠的に計測すると共に、前記生体情報計測部によって計測された前記
生体情報及び前記計時部によって検出された計測時刻を表す情報を記憶する記憶部を有し
、前記中継装置から前記送信データを受信した場合に、前記記憶部に記憶されている生体
情報及び計測時刻を表す情報を前記中継装置に送信することを特徴とする。
この構成によれば、前記生体情報及び前記計測時刻を表す情報が有る程度の数だけまと
めて中継装置に送信されるため、生体情報計測装置と中継装置との間のデータの送受信の
頻度（通信頻度）が減り省電力化が可能となる。
【００１１】
〔形態６〕  さらに、形態６の生体情報管理システムは、形態５に記載の生体情報管理シ
ステムにおいて、前記生体情報計測装置は、前記中継装置とデータの送受信が可能である
か否かを検出する検出部を備え、前記検出部によって前記中継装置とデータの送受信が不
可能と検出された場合に、前記生体情報計測部によって計測された生体情報及び前記計時
部によって検出された計測時刻を表す情報を前記記憶部に記憶し、前記中継装置から前記
送信データを受信した場合に、前記記憶部に記憶されている生体情報及び計測時刻を表す
情報を前記中継装置に送信することを特徴とする。
この構成によれば、前記生体情報計測装置と前記中継装置とデータの送受信が不可能な
間に計測された生体情報及び計測時刻が記憶部に記録されるため、これらの計測データが
消失することが無い。
【００１２】
〔形態７〕  上記目的を達成するために、形態７の中継装置は、生体情報を計測する生体
情報計測部、及び、前記生体情報計測部によって前記生体情報が計測された計測時刻を検
出する計時部を有する生体情報計測装置に対し、前記生体情報と前記計測時刻を表す情報
とを送信させる指示情報を含む送信データを送信し、前記指示情報に応じて前記生体情報
計測装置から送信された前記生体情報及び前記計測時刻を表す情報を受信する第１データ
送受信部と、前記第１データ送受信部を介して受信した前記生体情報及び前記計測時刻を
表す情報を前記生体情報計測装置によって計測された生体情報を管理する管理サーバに送
信する第２データ送受信部と、標準時刻を表す情報を取得する標準時刻取得部と、を有し
、前記標準時刻取得部によって取得された標準時刻を表す情報、或いは、前記標準時刻取
得部によって取得された標準時刻を表す情報によって修正された時刻を表す情報を前記送
信データに含めて送信することを特徴とする。
この構成によれば、標準時刻、或いは、標準時刻によって修正された時刻を含む送信デ
ータが生体情報計測装置に送信されるため、この送信データに含まれている標準時刻、或
いは、標準時刻によって修正された時刻に基づいて、生体情報計測装置は、計時部が検出
する計測時刻を修正可能となる。
【００１３】
〔形態８〕  上記目的を達成するために、形態８の生体情報計測装置は、生体情報を計測
する生体情報計測部と、前記生体情報計測部によって前記生体情報が計測された計測時刻
を検出する計時部と、前記生体情報を管理する管理サーバとデータを送受信する中継装置
から前記生体情報と前記計測時刻を表す情報とを送信させる指示情報、及び、標準時刻を
表す情報、或いは、前記標準時刻を表す情報に基づいて修正された時刻を表す情報を含む
送信データを受信するデータ受信部とを備え、前記送信データに含まれる標準時刻を表す
情報、或いは、前記修正された時刻を表す情報に基づいて前記計時部が検出する時刻を修
正することを特徴とする。
この構成によれば、生体情報計測装置は、中継装置から送信された送信データに含まれ
ている標準時刻、或いは、標準時刻に基づいて計時部が検出する計測時刻を修正可能とな
る。
【００１４】
〔形態９〕  上記目的を達成するために、形態９の中継装置の制御方法は、生体情報を計
測する生体情報計測部、及び、前記生体情報計測部によって前記生体情報が計測された計
測時刻を検出する計時部を有する生体情報計測装置とデータを送受信する第１データ送受
信部と、前記生体情報計測装置によって計測された生体情報を管理する管理サーバとデー
タを送受信する第２データ送受信部と、標準時刻を表す情報を取得する標準時刻取得部と
を備えた中継装置の制御方法であって、前記第１データ送受信部を介して前記生体情報計
測装置に対し、前記生体情報と前記計測時刻を表す情報とを送信させる指示情報を含む送
信データを送信する第１ステップと、前記指示情報に応じて前記生体情報計測装置から送
信された前記生体情報及び前記計測時刻を表す情報を、前記第１データ送受信部を介して
受信する第２ステップと、前記第２ステップにおいて受信された前記生体情報及び前記計
測時刻を表す情報を前記第２データ送受信部を介して前記管理サーバに送信する第３ステ
ップとを有し、前記第１ステップにおいては、前記標準時刻取得部によって取得された標
準時刻を表す情報、或いは、前記標準時刻取得部によって取得された標準時刻を表す情報
によって修正された時刻を表す情報を前記送信データに含めて送信することを特徴とする
。
この中継装置の制御方法によれば、形態７の中継装置と同等の効果が得られる。
【００１５】
〔形態１０〕  上記目的を達成するために、形態１０の生体情報計測装置の制御方法は、
生体情報を計測する生体情報計測部と、前記生体情報計測部によって前記生体情報が計測
された計測時刻を検出する計時部と、前記生体情報を管理する管理サーバとデータを送受
信する中継装置からデータを受信するデータ受信部とを備えた生体情報計測装置の制御方
法であって、前記中継装置から前記生体情報と前記計測時刻を表す情報とを送信させる指
示情報、及び、標準時刻を表す情報、或いは、前記標準時刻を表す情報に基づいて修正さ
れた時刻を表す情報を含む送信データ前記データ受信部を介して受信する第１ステップと
、前記第１ステップにおいて受信した前記送信データに含まれる標準時刻を表す情報、或
いは、前記修正された時刻を表す情報に基づいて前記計時部が検出する時刻を修正する第
２ステップとを備えることを特徴とする。
この生体情報計測装置の制御方法によれば、形態８の生体情報計測装置と同等の効果が
得られる。
【００１６】
〔形態１１〕  上記目的を達成するために、形態１１の中継装置の制御プログラムは、生
体情報を計測する生体情報計測部、及び、前記生体情報計測部によって前記生体情報が計
測された計測時刻を検出する計時部を有する生体情報計測装置とデータを送受信する第１
データ送受信部と、前記生体情報計測装置によって計測された生体情報を管理する管理サ
ーバとデータを送受信する第２データ送受信部と、標準時刻を表す情報を取得する標準時
刻取得部とを備えた中継装置の制御プログラムであって、前記中継装置を、前記第１デー
タ送受信部を介して前記生体情報計測装置に対し、前記生体情報と前記計測時刻を表す情
報とを送信させる指示情報を含む送信データを送信する手段、前記指示情報に応じて前記
生体情報計測装置から送信された前記生体情報及び前記計測時刻を表す情報を、前記第１
データ送受信部を介して受信する手段、前記第１データ送受信部を介して受信した前記生
体情報及び前記計測時刻を表す情報を前記第２データ送受信部を介して前記管理サーバに
送信する手段、及び、前記標準時刻取得部によって取得された標準時刻を表す情報、或い
は、前記標準時刻取得部によって取得された標準時刻を表す情報によって修正された時刻
を表す情報を前記送信データに含めて送信する手段として機能させることを特徴とする。
この中継装置の制御プログラムによれば、中継装置に含まれるＣＰＵ等によってプログ
ラムが読み取られ、読み取られたプログラムにしたがって中継装置のＣＰＵ等が処理を実
行すると、形態７の中継装置と同等の作用及び効果が得られる。
【００１７】
〔形態１２〕  上記目的を達成するために、形態１２の生体情報計測装置の制御プログラ
ムは、生体情報を計測する生体情報計測部と、前記生体情報計測部によって前記生体情報
が計測された計測時刻を検出する計時部と、前記生体情報を管理する管理サーバとデータ
を送受信する中継装置からデータを受信するデータ受信部とを備えた生体情報計測装置の
制御プログラムであって、前記生体情報計測装置を、前記中継装置から前記生体情報と前
記計測時刻を表す情報とを送信させる指示情報、及び、標準時刻を表す情報、或いは、前
記標準時刻を表す情報に基づいて修正された時刻を表す情報を含む送信データを前記デー
タ受信部を介して受信する手段、及び、前記送信データに含まれる標準時刻を表す情報、
或いは、前記修正された時刻を表す情報に基づいて前記計時部が検出する時刻を修正する
手段として機能させることを特徴とする。
この生体情報計測装置の制御プログラムによれば、生体情報計測装置に含まれるＣＰＵ
等によってプログラムが読み取られ、読み取られたプログラムにしたがって生体情報計測
装置のＣＰＵ等が処理を実行すると、形態８の生体情報計測装置と同等の作用及び効果が
得られる。
【００１８】
〔形態１３〕  上記目的を達成するために、形態１３の記録媒体は、生体情報を計測する
生体情報計測部、及び、前記生体情報計測部によって前記生体情報が計測された計測時刻
を検出する計時部を有する生体情報計測装置とデータを送受信する第１データ送受信部と
、前記生体情報計測装置によって計測された生体情報を管理する管理サーバとデータを送
受信する第２データ送受信部と、標準時刻を表す情報を取得する標準時刻取得部とを備え
た中継装置の制御プログラムであって、前記中継装置を、前記第１データ送受信部を介し
て前記生体情報計測装置に対し、前記生体情報と前記計測時刻を表す情報とを送信させる
指示情報を含む送信データを送信する手段、前記指示情報に応じて前記生体情報計測装置
から送信された前記生体情報及び前記計測時刻を表す情報を、前記第１データ送受信部を
介して受信する手段、前記第１データ送受信部を介して受信した前記生体情報及び前記計
測時刻を表す情報を前記第２データ送受信部を介して前記管理サーバに送信する手段、及
び、前記標準時刻取得部によって取得された標準時刻を表す情報、或いは、前記標準時刻
取得部によって取得された標準時刻を表す情報によって修正された時刻を表す情報を前記
送信データに含めて送信する手段として機能させる制御プログラムを記録したコンピュー
タ読取可能な記録媒体であることを特徴とする。
この記録媒体によれば、中継装置が備えるＣＰＵ等によってプログラムが記録媒体から
読み取られ、読み取られたプログラムにしたがって中継装置のＣＰＵ等が処理を実行する
と、形態７の中継装置と同等の作用及び効果が得られる。
【００１９】
〔形態１４〕  上記目的を達成するために、形態１４の記録媒体は、生体情報を計測する
生体情報計測部と、前記生体情報計測部によって前記生体情報が計測された計測時刻を検
出する計時部と、前記生体情報を管理する管理サーバとデータを送受信する中継装置から
データを受信するデータ受信部とを備えた生体情報計測装置の制御プログラムであって、
前記生体情報計測装置を、前記中継装置から前記生体情報と前記計測時刻を表す情報とを
送信させる指示情報、及び、標準時刻を表す情報、或いは、前記標準時刻を表す情報に基
づいて修正された時刻を表す情報を含む送信データを前記データ受信部を介して受信する
手段、及び、前記送信データに含まれる標準時刻を表す情報、或いは、前記修正された時
刻を表す情報に基づいて前記計時部が検出する時刻を修正する手段として機能させる制御
プログラムを記録したコンピュータ読取可能な記録媒体であることを特徴とする。
この記録媒体によれば、生体情報計測装置が備えるＣＰＵ等によってプログラムが記録
媒体から読み取られ、読み取られたプログラムにしたがって生体情報計測装置のＣＰＵ等
が処理を実行すると、形態８の生体情報計測装置と同等の作用及び効果が得られる。
【発明を実施するための最良の形態】
【００２０】
以下、図面を参照して本発明の実施形態について説明する。
図１は、本実施形態に係る生体情報管理システム１の構成を示す図である。
生体情報管理システム１は、ユーザの生体情報を計測する１又は複数の生体情報計測装
置２と、生体情報計測装置２との間で双方向に無線通信して生体情報を受信する中継装置
３と、この中継装置３と通信網４を介して接続され、中継装置３からユーザの生体情報を
受信し、この生体情報を加工・解説・管理等する管理サーバ５と、標準時刻情報を中継装
置３に通信網４を介してＮＴＰ（Network Time Protocol）等を用いて配信する標準時刻
サーバ６とを有している。
【００２１】
図２は、生体情報計測装置２の機能的構成を示すブロック図である。
生体情報計測装置２は、例えば腕時計型や体温計型等のユーザ装着型の機器として構成
され、ユーザの生体情報を測定し中継装置３に送信するものであり、コントローラ２０と
、メモリ２１と、生体情報計測部２２と、データ処理部２３と、データ送受信部２４と、
計時部２５とを有している。
コントローラ２０は、生体情報計測装置２の各部を中枢的に制御するものでありＣＰＵ
等の演算実行手段を有している。メモリ２１は、ＥＥＰＲＯＭやフラッシュＲＯＭ等の半
導体メモリを有して構成され、コントローラ２０が実行する制御プログラムや生体情報計
測装置２のそれぞれを一意に特定するＩＤ（識別）データ２６、後述する未送信計測デー
タ２７等の各種データを格納する。
【００２２】
生体情報計測部２２は、コントローラ２０の制御の下、ユーザの生体情報を計測しデー
タ処理部２３に出力する。
生体情報とは、病気の有無や進度といった人体の健康状態を示す情報であり、例えば、
体温、血圧、脈拍、脈波、動脈血中の酸素飽和度、体動等が具体例として挙げられる。
上記生体情報計測部２２には、計測対象の生体情報の種類及び数に応じて１又は複数の
センサが設けられており、例えば、計測対象の生体情報が体温であれば温度センサ、血圧
であれば圧力センサ、脈拍や脈波であれば反射型光センサ、動脈血中の酸素飽和度であれ
ば反射型光センサ及び加速度センサ、体動であれば加速度センサが設けられている。
【００２３】
計時部２５は、生体情報計測部２２によって計測された生体情報の計測時刻を計時する
ものである。具体的には、計時部２５は、精度（確度）が１００ｐｐｍ程度の比較的安価
な水晶振動子を発振源として基準クロック信号を出力するクロック回路２５Ａを有し、こ
のクロック回路２５Ａから出力された基準クロック信号を図示しない分周回路により１Ｈ
ｚの信号に分周し、この１Ｈｚの信号を図示しないカウンタ回路でカウントすることで時
刻を計時する。
本実施形態では、コントローラ２０は、計時部２５の計時に基づいて、所定の計測開始
時間Ｔａ（図６参照）が経過するごとに生体情報計測部２２に生体情報を計測させ、生体
情報をデータ処理部２３に出力させると共に、そのとき計時部２５が計時している時刻を
計測時刻としてデータ処理部２３に出力する。
データ処理部２３は、コントローラ２０の制御の下、生体情報計測部２２によって計測
された生体情報のデータ（以下、「生体情報データ」と言う）、生体情報の計測時刻、及
び、ＩＤデータ２６を含む生体情報送信データ７０（図７（Ａ）参照）を生成し、データ
送受信部２４に出力する。
【００２４】
データ送受信部２４は、コントローラ２０の制御の下、中継装置３との間で双方向の無
線通信を行うものであり、データ処理部２３によって生成された生体情報送信データ７０
を中継装置３に所定の送信間隔Ｔｅ（図６参照）で送信する一方で、中継装置３からの制
御情報送信データ７１（図７（Ｂ）参照）や、生体情報送信データ７０が中継装置３によ
って正常に受信されたか否かを示すＡｃｋ情報を受信しデータ処理部２３を介してコント
ローラ２０に出力する。
【００２５】
コントローラ２０は、中継装置３との間で無線通信可能であったか否か、すなわち、生
体情報送信データ７０が中継装置３に正常に受信されたか否かを上記Ａｃｋ情報に基づい
て判断し、生体情報送信データ７０が中継装置３に受信されていない場合、この生体情報
送信データ７０の生体情報データ及び計測時刻を未送信計測データ２７に記録する。
未送信計測データ２７においては、図３に示すように、計測時刻（生体情報取得時刻）
が古い順に各生体情報データにスロット番号が割り振られて記録されており、中継装置３
との間での無線通信が可能になときに、未送信計測データ２７に蓄積されている生体情報
データ及び計測時刻をスロット番号が小さいものから順に中継装置３に順次送信される。
【００２６】
次いで、中継装置３は、ユーザの家庭や病院等の建物内に固定的に配置されるものであ
り、１又は複数の生体情報計測装置２と管理サーバ５との間に介在し、生体情報計測装置
２から管理サーバ５への生体情報データの送信を中継する。すなわち、中継装置３は、通
信における親機として機能し、この親機に対して複数の生体情報計測装置２が子機として
機能する。
図４は、かかる中継装置３の機能的構成を示すブロック図である。
同図に示すように、中継装置３は、コントローラ３０と、メモリ３１と、データ送受信
部（第１データ送受信部）３２と、データ処理部３３と、通信部（第２データ送受信部）
３４と、計時部３５とを有している。
【００２７】
コントローラ３０は、中継装置３の各部を中枢的に制御するものでありＣＰＵ等の演算
実行手段を有している。メモリ３１は、ＥＥＰＲＯＭやフラッシュＲＯＭ等の半導体メモ
リを有して構成され、コントローラ３０が実行する制御プログラムや後述する受信生体情
報管理データ３６等の各種データを格納する。
計時部３５は、時刻を計時するものであり、基準クロック信号を出力するクロック回路
３５Ａを有し、このクロック回路３５Ａから出力された基準クロック信号を図示しない分
周回路により１Ｈｚの信号に分周し、この１Ｈｚの信号を図示しないカウンタ回路でカウ
ントすることで時刻を計時する。
【００２８】
データ送受信部３２は、コントローラ３０の制御の下、生体情報計測装置２との間で双
方向の無線通信を行うものであり、生体情報を送信すべき旨の制御情報を含む制御情報送
信データ７１を生体情報計測装置２に所定の送信周期Ｔｓ（図６参照）で送信する一方で
、この制御データに応じて生体情報計測装置２から送信された生体情報送信データ７０を
受信しデータ処理部３３を介してコントローラ３０に出力する。生体情報計測装置２から
送信された生体情報送信データ７０には、上記のように、ユーザの生体情報及び計測時刻
が含まれており、コントローラ３０は、かかる生体情報及び計測時刻を受信生体情報管理
データ３６に記録される。
【００２９】
図５は、受信生体情報管理データ３６を模式的に示す図である。この図に示すように、
受信生体情報管理データ３６においては、生体情報送信データ７０から取得した生体情報
データが、その計測時刻（生体情報取得時刻）が古い順（受信した順）にスロット番号が
割り振られて記録されている。これらの生体情報データ及び計測時刻は、所定の通信間隔
、或いは、生体情報データのデータ数が一定数に達するごとに、通信部３４から通信網４
を介して管理サーバ５に送信される。管理サーバ５に送信された生体情報データ（スロッ
ト番号）には、管理サーバ５への送信時刻が送信パケット番号として記録される。
なお、この受信生体情報管理データ３６は、相互に通信する生体情報計測装置２が複数
存在する場合には、生体情報計測装置２のそれぞれのＩＤデータ２６ごとに設けられ、生
体情報計測装置２のそれぞれが計測する生体情報及び計測時刻が互いに独立して管理可能
になされている。
【００３０】
コントローラ３０は、生体情報計測装置２との間で無線通信可能であるか否か、すなわ
ち、制御情報送信データ７１が生体情報計測装置２に正常に受信されたか否かを上記Ａｃ
ｋ情報に基づいて判断し、制御情報送信データ７１が生体情報計測装置２に正常に受信さ
れていない場合、生体情報送信データ７０が送信されてくることは無いため、そのときに
取得すべきであった生体情報が未受信である旨を受信生体情報管理データ３６に記録する
。
【００３１】
すなわち、受信生体情報管理データ３６には、図５に示すように、生体情報が未受信で
ある旨を示す未受信フラグが設けられており、生体情報計測装置２との間での無線通信が
不可能な間、制御情報送信データ７１の送信タイミングが到来するごとに、次のスロット
番号の未受信フラグに「１」が可能され、生体情報送信データ７０が未受信であることが
示される。
また生体情報計測装置２との間での無線通信が不可能な間は、当該生体情報計測装置２
においては、上述のように、未送信になっている生体情報データ及び計測時刻が未送信計
測データ２７に順次格納される。
そして、生体情報計測装置２との間での無線通信が可能になったときには、当該生体情
報計測装置２から、未送信になっていた生体情報データ及び計測時刻が順に中継装置３に
順次送信され、これらの生体情報データ及び計測時刻が、受信生体情報管理データ３６に
おいて未受信フラグが「１」になっているスロット番号のうち数字の小さい方から順に格
納される。
なお、中継装置３においても生体情報計測装置２と同様に、生体情報計測装置２との間
での無線通信が可能であるか否かを、当該生体情報計測装置２から送信された生体情報送
信データ７０を受信できたか否かに基づいて、判断する構成としても良い。
【００３２】
さて、上記データ処理部３３は、コントローラ３０の制御の下、生体情報計測装置２へ
送信する上記制御情報送信データ７１の生成、当該生体情報計測装置２からデータ送受信
部３２を介して受信された生体情報送信データ７０の複合化、通信部３４を介して管理サ
ーバ５や標準時刻サーバ６との間で送受信するデータの生成及び複合化等の処理を行うも
のである。
通信部３４は、通信網４を介して上記管理サーバ５及び標準時刻サーバ６と双方向に通
信する通信インターフェースとして機能する。
【００３３】
また、コントローラ３０は、メモリ３１に格納された制御プログラムを実行することで
、通信部３４を介して標準時刻サーバ６から標準時刻を取得する標準時刻取得部３０Ａと
、標準時刻取得部３０Ａによって取得された標準時刻に基づいて計時部３５の時刻を修正
する時刻修正部３０Ｂとして機能し、これにより、中継装置３においては、標準時刻に同
期した時刻が計時されることとなる。
【００３４】
なお、本実施形態では、中継装置３が標準時刻を標準時刻サーバ６から取得する構成と
したが、これに限らず、標準時刻を示す標準電波を受信して標準時刻を取得し時刻を修正
する構成としても、或いは、ＧＰＳ信号を受信して標準時刻を取得し時刻を修正する構成
としても良い。
また、上記中継装置３は、家庭等の建物内に敷設されたＬＡＮと、インターネットやＷ
ＡＮとの間の通信を中継するルータとして構成されても良い。
【００３５】
次いで、図６及び図７を参照して、生体情報計測装置２と、中継装置３との間の双方向
通信について、より詳細に説明する。
図６は生体情報計測装置２と、中継装置３との間の通信のタイミングチャートであり、
図７（Ａ）は生体情報計測装置２が送信する生体情報送信データ７０の構成を、図７（Ｂ
）は中継装置３が送信する制御情報送信データ７１の構成をそれぞれ示す図である。
生体情報計測装置２は、図６に示すように、所定の計測開始時間Ｔａ（例えばＴａ＝１
分）が経過するごとに（タイミングｔ０）、所定の計測時間Ｔｂ（例えばＴｂ＝３０秒＜
Ｔａ）の間、生体情報の計測を実行する。この計測時間Ｔｂが終了するタイミングｔ１か
ら一定時間経過後のタイミングｔ２において、中継装置３が送信動作を開始する送信期間
Ｔｘａとなると共に、生体情報計測装置２が受信動作を開始する受信期間Ｒｘｂとなる。
送信期間Ｔｘａにおいては、中継装置３が制御情報送信データ７１を送信すると共に、
生体情報計測装置２が受信期間Ｒｘｂの間に制御情報送信データ７１を受信する。
【００３６】
この制御情報送信データ７１は、図７（Ｂ）に示すように、同期ビット格納部７１Ａと
、制御データ格納部７１Ｂと、送信間隔格納部７１Ｃと、ＩＤデータ格納部７１Ｄと、現
在時刻格納部７１Ｅと、誤り検出・訂正ビット格納部７１Ｆとを有している。
同期ビット格納部７１Ａは、生体情報計測装置２が中継装置３との通信の同期を図るた
めの同期ビットを格納し、制御データ格納部７１Ｂは、生体情報計測装置２に対する制御
情報たる制御データを格納する。この制御情報には、生体情報の送信指示が含まれている
。
【００３７】
また、送信間隔格納部７１Ｃは、生体情報計測装置２が生体情報送信データ７０を送信
するタイミングを規定する送信間隔Ｔｅ（例えばＴｅ＝５０秒）を格納するものである。
この送信間隔Ｔｅは、所定の計測開始時間Ｔａの開始タイミングであるタイミングｔ０か
らの経過時間によって規定される。
ＩＤデータ格納部７１Ｄは、当該制御情報送信データ７１を受信すべき生体情報計測装
置２に割り振られたＩＤデータ２６を格納するものである。現在時刻格納部７１Ｅは、時
刻修正部３０Ｂによって修正された時刻を格納するものである。誤り検出・訂正ビット格
納部７１Ｆは、受信データの誤りビットを検出、訂正するためのデータを格納するもので
ある。
【００３８】
上記受信期間Ｒｘｂにおいては、ＩＤデータ格納部７１Ｄに格納されているＩＤデータ
２６と同一のＩＤが付与されている生体情報計測装置２が、この制御情報送信データ７１
の制御データにしたがって動作を行うことになる。
ここで、制御情報送信データ７１の現在時刻格納部７１Ｅに格納されている時刻により
標準時刻が示されるため、生体情報計測装置２は、生体情報送信データ７０の送信に先立
って、図８に示す時刻修正処理を実行することで、自身の時刻を修正する。すなわち、生
体情報計測装置２のコントローラ２０は、上記受信期間Ｒｘｂにおいて、中継装置３から
送信された制御情報送信データ７１を受信し（ステップＳａ１）、この制御情報送信デー
タ７１の同期ビット格納部７１Ａに格納されている同期ビットにより、クロック回路２５
Ａのクロック信号に基づく受信クロックの同期化を図って通信の同期をとり（ステップＳ
ａ２）、制御情報送信データ７１を正常に受信する。そして、生体情報計測装置２のコン
トローラ２０は、データ処理部２３に制御情報送信データ７１を復号化（データデコード
）させ（ステップＳａ３）、現在時刻格納部７１Ｅに格納されている時刻に基づいて、計
時部２５が計時する時刻を修正する（ステップＳａ４）。
【００３９】
以上の時刻修正処理により、生体情報計測装置２の計時する時刻が標準時刻に基づいて
修正される。これにより、生体情報計測装置２の計時部２５に確度が比較的低く安価な発
振源を用いても、計時部２５が計時する時刻を正確な時刻に維持し、生体情報の正確な測
定時刻を検出することが可能となる。
【００４０】
さて、生体情報計測装置２のコントローラ２０は、上記の時刻修正処理により時刻修正
を行った後、前掲図６に示すように、修正後の計時部２５の計時信号と、制御情報送信デ
ータ７１の送信間隔格納部７１Ｃに格納されている送信間隔Ｔｅとに基づいて、タイミン
グｔ０から送信間隔Ｔｅにて規定された時間が経過したタイミングｔ３において、生体情
報計測装置２が送信動作を行う送信期間Ｔｘｂとなり、また、中継装置３が受信動作を行
う受信期間Ｒｘａとなる。
【００４１】
送信期間Ｔｘｂにおいては、生体情報計測装置２が生体情報送信データ７０を送信する
と共に、中継装置３が受信期間Ｒｘａの間に生体情報送信データ７０を受信する。
この生体情報送信データ７０は、図７（Ａ）に示すように、同期ビット格納部７０Ａと
、計測データ格納部７０Ｂと、送信間隔格納部７０Ｃと、ＩＤデータ格納部７０Ｄと、計
測時刻格納部７０Ｅと、誤り検出・訂正ビット格納部７０Ｆとを有し、これらのうち、同
期ビット格納部７１Ａ及び誤り検出・訂正ビット格納部７０Ｆは、それぞれ、制御情報送
信データ７１の同期ビット格納部７１Ａ及び誤り検出・訂正ビット格納部７１Ｆに相当す
るものである。また、ＩＤデータ格納部７０Ｄは、自身の生体情報計測装置２を識別する
ＩＤデータ２６を格納し、中継装置３に生体情報計測装置２のＩＤを通知するものである
。
【００４２】
計測データ格納部７０Ｂは、生体情報の計測結果たる生体情報データを格納するもので
あり、計測時刻格納部７０Ｅは、生体情報の計測時刻を格納するものである。
送信間隔格納部７０Ｃは、生体情報計測装置２から中継装置３に対して、上記送信間隔
Ｔｅの変更を指示する場合に、変更後の送信間隔Ｔｅを格納するものである。
送信間隔Ｔｅの変更は、通常、親機たる中継装置３が行う。生体情報計測装置２は、例
えば、生体情報の計測値が異常な値（健康や生命に異常が生じたと事を示す値）となった
場合のような緊急時に、生体情報をより短いサイクルで通知する等のために、送信間隔Ｔ
ｅの変更を行う。
このように、生体情報計測装置２が中継装置３に対して送信する生体情報送信データ７
０に送信間隔Ｔｅを格納することで、当該送信間隔Ｔｅを変更可能な構成としているため
、生体情報の計測値が異常な値を示す等の緊急時に、生体情報の送信間隔Ｔｅを早めて多
くの生体情報を送信することで、緊急時には、管理サーバ５に対し、生体情報の詳細な時
系列変化を通知することが可能となる。
【００４３】
中継装置３は、前掲図６に示す受信期間Ｒｘａにおいて、生体情報計測装置２から送信
された生体情報送信データ７０を受信することで、生体情報及びその計測時刻を取得する
。
ここで、中継装置３の受信期間Ｒｘａの期間長Ｔｄは、生体情報計測装置２の送信期間
Ｔｘｂの期間長Ｔｃよりも長く設定され、受信期間Ｒｘａが送信期間Ｔｘｂよりも早いタ
イミングで開始し、また、遅いタイミングで終了するように、すなわち、中継装置３は、
生体情報計測装置３の送信間隔よりも短い間隔で受信動作を行う構成となされている。こ
れにより、例えば、中継装置３から送信された制御情報送信データ７１を生体情報計測装
置２が受信し時刻修正を行うまでの遅延等に起因して、中継装置３と生体情報計測装置２
との間に時刻同期の誤差が多少生じている場合でも、その誤差の影響を受けずに、中継装
置３と生体情報計測装置２との間で、生体情報送信データ７０を確実に送受信できる。
【００４４】
さらに、本実施形態では、中継装置３と生体情報計測装置２との間での生体情報送信デ
ータ７０の送受信の確実性をより高めるために、前掲図６に示すように、送信期間Ｔｘｂ
において、生体情報計測装置２は、生体情報送信データ７０を複数回送信する。
例えば、１回に送信される生体情報送信データ７０のデータ量が約１５００ｂｉｔであ
り、無線通信の伝送路の伝送速度が１００ｋｂｐｓである場合には、この生体情報送信デ
ータ７０の伝送には、０．０１６秒要する。したがって、この場合には、上記送信期間Ｔ
ｘｂが例えば約０．１５秒に設定され、また、上記受信期間Ｒｘａが例えば０.２秒に設
定され、さらに、この０．１５秒の送信期間Ｔｘｂの間に、上記生体情報送信データ７０
の送信期間Ｔｆ（約０．１６秒）が３回、インターバル期間Ｔｇが２回といったように、
複数回の送信期間Ｔｆ及びインターバル期間Ｔｇが設けられる。
なお、これら送信期間Ｔｘｂの期間長Ｔｃや受信期間Ｒｘａの期間長Ｔｄ、送信期間Ｔ
ｆ、インターバル期間Ｔｇは、初期設定時に予め設定される。
【００４５】
ところで、本実施形態では、生体情報計測装置２と中継装置３との間の無線通信に、微
弱な無線電波を用いて通信することが可能な例えばBluetooth規格やZigbee規格が用いら
れており、省電力化が図られている。
さらに、上述したように、生体情報計測装置２は、生体情報を計測開始時間Ｔａごとに
間欠的に計測すると共に、計測した生体情報を送信間隔Ｔｅごとに間欠的に中継装置３に
送信しており、この間欠動作によって、通信規格の選択による省電力化に加え、さらなる
省電力化が図られている。
【００４６】
ここで、生体情報計測装置２と中継装置３との間の無線通信に、上記のように微弱な無
線電波を用いる通信を採用した場合、生体情報計測装置２及び中継装置３のそれぞれの通
信可能エリアが狭くなるため、生体情報計測装置２を装着したユーザが歩き回るなどして
中継装置３から遠くに離れると、生体情報計測装置２と中継装置３との間の通信が不安定
になり易く、何ら対策を施さなければ、生体情報計測装置２が計測した生体情報が中継装
置３に受信されずに消滅してしまう恐れがある。
そこで、本実施形態では、生体情報計測装置２と中継装置３との間で通信が不可能な場
合は、上述の通り、生体情報計測装置２が生体情報を未送信計測データ２７に蓄積する。
【００４７】
図９は、生体情報計測装置２が実行する生体情報の計測・送信処理のフローチャートで
ある。
生体情報計測装置２は、上述のように、所定の計測開始時間Ｔａが経過すると、生体情
報を計測し（ステップＳｂ１）、その生体情報の計測結果に基づいて、中継装置３や管理
サーバ５等が処理可能なデータ形式の生体情報データを生成すると共に、計測時刻を計時
部２５から取得し（ステップＳｂ２）、生体情報データ及び計測時刻をメモリ２１に一時
的に記録する（ステップＳｂ３）。
次いで、生体情報計測装置２は、中継装置３から送信された制御情報送信データ７１を
受信期間Ｒｘｂ（前掲図６参照）において正常に受信したか否かを判断し（ステップＳｂ
４）、正常に受信できなかった場合（ステップＳｂ４：Ｎｏ）、メモリ２１に一時的に記
録した生体情報データ及び計測時刻を未送信計測データ２７に記録すると共に、一時的に
記録していた生体情報データ及び計測時刻をメモリ２１から消去し（ステップＳｂ５）、
処理を終了する。
【００４８】
一方、制御情報送信データ７１を正常に受信できた場合（ステップＳｂ４：Ｙｅｓ）、
生体情報計測装置２は、制御情報送信データ７１に含まれている時刻に基づいて、上述の
時刻修正処理を行った後（ステップＳｂ６）、メモリ２１に一時的に記録している生体情
報データ及び計測時刻に基づいて生体情報送信データ７０を生成し、上記送信期間Ｔｘｂ
において送信する（ステップＳｂ７）。このステップＳｂ７においては、未送信計測デー
タ２７に、未送信の生体情報データ及び計測時刻が記録されている場合には、これらの生
体情報データ及び計測時刻に基づく生体情報送信データ７０が先に送信され、次いで、メ
モリ２１に一時的に記録した生体情報データ及び計測時刻に基づく生体情報送信データ７
０が送信される。そして、中継装置３は、受信期間Ｒｘａの間に受信した生体情報データ
及び計測データを、受信生体情報管理データ３６において未受信フラグが「１」になって
いるスロット番号に順番に格納することになる。
【００４９】
ここで、生体情報計測装置２の送信期間Ｔｘｂの間、中継装置３においては受信期間Ｒ
ｘａとなって受信動作し、ステップＳｂ７において生体情報計測装置２から送信された生
体情報送信データ７０の受信を行う。そして中継装置３は、この受信動作の結果、生体情
報送信データ７０を正常に受信できたか否かを示すＡｃｋ情報を、図１０に示すように上
記受信期間Ｒｘａの後の送信期間Ｔｘｃにおいて生体情報計測装置２に対して送信する。
一方、生体情報計測装置２は、送信期間Ｔｘｂの後に受信期間Ｒｘｄとなり、中継装置
３が送信期間Ｔｘｃにおいて送信したＡｃｋ情報を受信し（ステップＳｂ８）、このＡｃ
ｋ情報に基づいて、生体情報送信データ７０が中継装置３によって正常に受信されたか否
かを判断する（ステップＳｂ９）。生体情報送信データ７０が中継装置３によって正常に
受信されていない場合（ステップＳｂ９：Ｎｏ）、生体情報計測装置２は、生体情報デー
タ及び計測時刻を未送信計測データ２７に記録すると共に、一時的に記録していた生体情
報データ及び計測時刻をメモリ２１から削除し（ステップＳｂ１０）、処理を終了する。
なお、受信期間Ｒｘｄにおいて生体情報計測装置２がＡｃｋ情報を受信できなかった場
合、生体情報計測装置２は、生体情報送信データ７０が中継装置３によって正常に受信さ
れていないものと判断する。
【００５０】
これにより、生体情報計測装置２と中継装置３との間で通信が不可能等して、中継装置
３に生体情報送信データ７０が受信されなかった場合には、この生体情報送信データ７０
が未送信計測データ２７に蓄積されるため、当該生体情報送信データ７０の消失が防止さ
れる。そして、このようにして未送信計測データ２７に記録された生体情報データ及び計
測時刻は、生体情報計測装置２の次回の送信期間Ｔｘｂの間に、当該生体情報計測装置２
から中継装置３に送信されることとなる。
【００５１】
一方、ステップＳｂ９の判断の結果、生体情報送信データ７０が中継装置３によって正
常に受信されている場合（ステップＳｂ９：Ｙｅｓ）、生体情報計測装置２は、メモリ２
１に一時的に記録した生体情報データ及び計測時刻をメモリ２１から削除し（ステップＳ
ｂ１１）、処理を終了する。
【００５２】
以上説明したように、本実施形態によれば、生体情報計測装置２は、中継装置３から送
信された制御情報送信データ７１に含まれている時刻に基づいて計時部２５が計時する時
刻を修正する構成としたため、生体情報計測装置２の計時部２５のクロック回路２５Ａに
確度が高く高価な発振源を用いなくとも、生体情報計測装置２が正確な時刻を簡単に計時
することが可能となり、生体情報の正確な計測時刻を検出することができる。
【００５３】
また本実施形態によれば、中継装置３が、生体情報データ及び計測時刻を含む生体情報
送信データ７０を送信すべきタイミングを示す送信間隔Ｔｅを上記制御情報送信データ７
１に含めて生体情報計測装置２に送信するため、送信タイミングを任意に変更することが
可能となる。
これに加え、生体情報計測装置２は、上記制御情報送信データ７１に含まれている時刻
に基づいて計時部２５が計時する時刻を修正した後、修正後の時刻に基づいて、送信間隔
Ｔｅに合わせて生体情報送信データ７０を送信する構成としたため、計時部２５の発振源
の確度が低くとも、生体情報送信データ７０の送信タイミング（送信間隔の開始タイミン
グ）を正確に合わせることができる。
【００５４】
さらに本実施形態によれば、生体情報計測装置２は、送信期間Ｔｘｂの間に、生体情報
データ及び計測時刻を含む生体情報送信データ７０を複数回繰り返し送信するため、中継
装置３と間の生体情報データ及び計測時刻の送受信を確実なものとすることができる。
特に本実施形態によれば、中継装置３は、少なくとも生体情報計測装置２が生体情報送
信データ７０を送信する送信期間Ｔｘｂの間は、受信動作を行うこととなるから、中継装
置３と間の生体情報送信データ７０の送受信をより確実なものとすることができる。
また本実施形態によれば、生体情報計測装置２と中継装置３との間でのデータの送受信
が不可能となっている間に計測された生体情報及び計測時刻がメモリ２１の未送信計測デ
ータ２７に記録されるため、これらの計測データが消失することが防止される。
【００５５】
なお、上述した実施の形態は、あくまでも本発明の一態様を示すものであり、本発明の
範囲内で任意に変形および応用が可能である。
例えば上述した実施形態では、生体情報計測装置２が生体情報を計測するごとに、その
生体情報を次の生体情報送信データ７０の送信タイミングで送信する構成について説明し
たが、これに限らない。すなわち、上記生体情報送信データ７０の送信間隔Ｔｅを、生体
情報の計測開始時間Ｔａよりも長く設定することも可能であり、この場合には、生体情報
の送信タイミングに至るまでに、生体情報計測装置２によって生体情報の計測が複数回（
（Ｔｅ／Ｔａ）をこえない最大の整数回）行われる。そして、これら複数回の計測結果た
る生体情報データ及びその計測時刻は、上記未送信計測データ２７に蓄積され、次の送信
タイミングに至ったときに順次送信される。
この構成によれば、生体情報及び計測時刻が有る程度まとめて中継装置３に送信される
ため、生体情報計測装置２と中継装置３との間のデータの送受信の頻度（通信頻度）が減
り省電力化が可能となる。
【００５６】
また例えば上述した実施形態では、生体情報計測装置２が中継装置３との間での無線通
信が可能であるか否かをＡｃｋ情報に基づいて判断したが、これに限らず、中継装置３か
ら送信された制御情報送信データ７１の受信の有無、或いは、当該制御情報送信データ７
１の受信信号強度（ＲＳＳＩ）に基づいて、生体情報計測装置２が中継装置３との間での
無線通信が可能であるか否かを判断する構成としても良い。
【００５７】
また例えば、上述した実施形態では、中継装置３は、標準時刻に基づいて、自身が備え
る計時部３５の時刻を修正し、この計時部３５が計時する時刻を制御情報送信データ７１
に含めて送信する構成としたが、これに限らず、標準時刻取得部３０Ａが取得した現在の
標準時刻を制御情報送信データ７１に含めて送信する構成としても良い。
【００５８】
また例えば、生体情報計測装置２の制御プログラム１００や中継装置３の制御プログラ
ム１０１を記録媒体に記録して配布する等も可能である。ここで、記録媒体とは、ＲＡＭ
、ＲＯＭ等の半導体記録媒体、ＦＤ、ＨＤ等の磁気記憶型記録媒体、ＣＤ、ＣＤＶ、ＬＤ
、ＤＶＤ等の光学的読取方式記録媒体、ＭＯ等の磁気記録型／光学的読取方式記録媒体で
あって、電子的、磁気的、光学的等の読み取り方法のいかんにかかわらず、コンピュータ
で読み取り可能な記録媒体であれば、どのような記録媒体であってもよい。
【図面の簡単な説明】
【００５９】
【図１】本発明の実施形態に係る生体情報管理システムの構成を示す図。
【図２】生体情報計測装置の機能的構成を示すブロック図。
【図３】未送信計測データの構成図。
【図４】中継装置の機能的構成を示すブロック図。
【図５】受信生体情報管理データの構成図。
【図６】生体情報計測装置と、中継装置との間の通信のタイミングチャート。
【図７】（Ａ）は生体情報計測装置が送信する生体情報送信データの構成を示し、（Ｂ）は中継装置が送信する制御情報送信データの構成を示す図。
【図８】時刻修正処理のフローチャート。
【図９】生体情報の計測・送信処理のフローチャート。
【図１０】生体情報計測装置と、中継装置との間の通信のタイミングチャート。
【符号の説明】
【００６０】
１…生体情報管理システム、２…生体情報計測装置、３…中継装置、４…通信網、５…
管理サーバ、６…標準時刻サーバ、２１…メモリ、２２…生体情報計測部、２５…計時部
、２５Ａ…クロック回路、２７…未送信計測データ、３０Ａ…標準時刻取得部、３０Ｂ…
時刻修正部、３２…データ送受信部（第１データ送受信部）、３４…通信部（第２データ
送受信部）、３６…受信生体情報管理データ、７０…生体情報送信データ、７１…制御情
報送信データ、１００、１０１…制御プログラム。
【図１】
2008178626.tif 000003
【図２】
2008178626.tif 000004
【図３】
2008178626.tif 000005
【図４】
2008178626.tif 000006
【図５】
2008178626.tif 000007
【図６】
2008178626.tif 000008
【図７】
2008178626.tif 000009
【図８】
2008178626.tif 000010
【図９】
2008178626.tif 000011
【図１０】
2008178626.tif 000012